(57)【特許請求の範囲】
【請求項１】
各住戸に、少なくとも火災感知器、中継器、住戸用受信機、ドアホン子器及びインターホン親器を設けると共に管理人室等の中央に住棟用受信機を設け、前記火災感知器の発報を前記中継器で受信した際に、発報移報信号を前記住戸用受信機及び住棟用受信機の各々に送出して警報報知させる共同住宅用火災報知システムに於いて、
前記住棟用受信機から引き出した音声警報用信号回線を前記ドアホン子器経由で前記住戸用受信機に接続し、
前記住戸用受信機及びドアホン子器の各々に、前記住棟用受信機からの制御信号を受けた際に、自己のスピーカを前記住棟用受信機からの音声警報用信号回線に切替接続するスピーカ切替回路を設け、
前記住棟用受信機に、前記ドアホン子器及び住戸用受信機のスピーカに対し、前記音声警報用信号回線を介して火災発生場所を含む音声メッセージ警報の音声信号を送出する音声合成部を設けたことを特徴とする共同住宅用火災報知システム。
【請求項２】
請求項１記載の共同住宅用火災報知システムに於いて、前記ドアホン子器のスピーカ切替回路は、定常監視状態でスピーカを前記インターホン親器からの信号回線に接続しており、前記住棟用受信機からの制御信号を受けた際に前記インターホン親器から切り離して前記住棟用受信機からの音声警報用信号回線に切替接続することを特徴とする共同住宅用火災報知システム。
【請求項３】
請求項１記載の共同住宅用火災報知システムに於いて、住戸用受信機のスピーカ切替回路は、定常監視状態でスピーカを前記ドアホン子器を経由した前記住棟用受信機からの音声警報用信号回線に接続しており、前記中継器から発報移報信号を受けた際に、前記住棟用受信機からの音声警報用信号回線から切り離して自己の音声合成部の出力側に切替接続すると共に、前記ドアホン子器のスピーカに対する信号回線を前記インターホン親器側から切り離して自己の音声合成部の出力側に切替接続することを特徴とする共同住宅用火災報知システム。
【請求項４】
請求項３記載の共同住宅用火災報知システムに於いて、前記住戸用受信機のスピーカ切替回路は、前記中継器から発報移報信号を受けて自己の音声合成部の出力側に前記スピーカを切替接続した後に、前記住棟用受信機から制御信号を受けた際に、自己の音声合成部との接続を切り離して前記ドアホン子器を経由した前記住棟用受信機からの音声警報用信号回線に切替接続し、出火住戸の住戸用受信機からも住棟用受信機の音声メッセージ警報を出させることを特徴とする共同住宅用火災報知システム。
【請求項５】
請求項１乃至４のいずれかに記載の共同住宅用火災報知システムに於いて、前記住戸側の中継器又は住戸用受信機、或いは中央の住棟用受信機に、前記火災感知器の発報が一定時間継続した時に火災と判断して出力する蓄積処理部を設け、前記住戸用受信機の音声合成部は、前記火災感知器の発報検出で直ちに起動して音声信号を出力し、前記住棟用受信機は前記蓄積処理部の出力が得られる一定時間後に前記スピーカ切替回路に制御信号を送出すると共に自己の音声合成部を起動して音声信号を出力することを特徴とする共同住宅用火災報知システム。
【請求項６】
請求項１記載の共同住宅用火災報知システムに於いて、
前記ドアホン子器のスピーカ切替回路は、
前記住棟用受信機からの制御信号を受けた際にスピーカ接続側となる二次側を前記住棟用受信機側からの音声警報用信号回線に接続する第１切替回路と、
前記中継器で火災感知器の発報を受信した際に出力される発報移報信号により、定常監視状態でドアホン回路側に接続されているスピーカを前記第１切替回路の二次側に切替接続する第２切替回路と、
を備え、
住戸用受信機のスピーカ切替回路は、定常監視状態で自己のスピーカを前記ドアホン子器の前記第１切替回路を経由して前記住棟用受信機からの音声警報用信号回線に接続しており、
前記住棟用受信機からの音声メッセージ警報の送出を、火災発生住戸のドアホン子器のスピーカと、予め定めた警報報知を必要とする住戸の前記住戸用受信機のスピーカから行わせることを特徴とする共同住宅用火災報知システム。
【請求項７】
請求項１記載の共同住宅用火災報知システムに於いて、
前記ドアホン子器のスピーカ切替回路は、
前記住棟用受信機からの制御信号を受けた際に、定常監視状態でドアホン回路側に接続しているスピーカを前記住棟用受信機側からの音声警報用信号回線に接続する第１切替回路と、
前記中継器で火災感知器の発報を受信した際に出力される発報移報信号により動作し、前記第１切替回路の前記住棟用受信機からの制御信号による動作可能状態を作り出す第２切替回路と、
を備え、
住戸用受信機のスピーカ切替回路は、定常監視状態で自己のスピーカを自己の音声合成部側に接続しており、前記住棟用受信機からの制御信号を受けた際に動作して前記スピーカを住棟用受信機からの音声警報用信号回線に切替接続し、
前記住棟用受信機からの音声メッセージ警報の送出を、火災発生住戸のドアホン子器のスピーカと、予め定めた警報報知を必要とする住戸の前記住戸用受信機のスピーカから行わせることを特徴とする共同住宅用火災報知システム。
【請求項８】
請求項７記載の共同住宅用火災報知システムに於いて、前記住戸用受信機のスピーカ切替回路は、前記住棟用受信機からの制御信号により発光駆動されるフォトカプラと、住戸用受信機自身の電源供給を受け前記フォトカプラの発光駆動により作動してスピーカ接続を切替えるリレー回路と備えたことを特徴とする共同住宅用火災報知システム。
【請求項９】
請求項８記載の共同住宅用火災報知システムに於いて、前記リレー回路は、前記フォトカプラの発光駆動時に作動する制御リレーと、常時作動状態に置かれ前記制御リレーの作動により不作動となってスピーカを前記住棟用受信機からの音声警報用信号回線にを切替えるスピーカ切替リレーと、
を備えたことを特徴とする共同住宅用火災報知システム。
【請求項１０】
請求項１乃至７のいずれかに記載の共同住宅用火災報知システムに於いて、
前記住棟用受信機には、前記中継器から発報移報信号を受けたときに火災発生場所を判別し、予め定めた警報報知を必要とする住戸に対し前記制御信号を出力させると共に、前記音声合成部を起動して火災発生場所を含む音声メッセージ警報を送出させる制御部を設けたことを特徴とする共同住宅用火災報知システム。
【発明の詳細な説明】
【０００１】
【発明の属する技術分野】
本発明は、住戸毎に火災感知器、中継器、住戸用受信機及びインターホン設備を設けて個別監視し、中央の管理人室等に住棟用受信機を設けて集中監視する共同住宅用火災報知システムに関する。
【０００２】
【従来の技術】
従来の共同住宅用の火災報知システムにあっては、住戸に設けられた火災感知器が発報すると、住戸内に設置している住宅情報盤（住戸用受信機）やドアホンで警報報知が行われる。同時に住宅情報盤やドアホンを介し直ちに、管理人室等の中央に設置された防災情報を集中監視する住棟用受信機に発報移報信号が送られる。発報信号を受けた住棟用受信機は、例えば出火階及びその直上階に設置されている地区ベルを鳴動して火災発生を報知する。
【０００３】
また、最近にあっては、地区ベルに代えて音声による警報システムが求められるようになってきている。例えば特開平４−３５０８００号のシステムにあっては、住戸の火災感知器の発報による発報信号をドアホン子器の火災表示回路で受信すると、住戸内の住宅情報盤に発報移報信号を送って警報音の鳴動と警報表示を行わせ、同時に管理人室等に設置した防災受信盤（以下「住棟用受信機」という）に送って警報音の鳴動と警報表示を行わせる。
【０００４】
このとき住棟用受信機は発報移報信号から出火階を判別し、出火階及びその直上階等の警報報知を必要とする住戸の玄関先に設置しているドアホン子器に発報移報信号を送り、スピーカを住棟用受信機からの音声警報用の信号回線に切り替え、「ウーウー、火災が発生しました。」等の音声警報を出させている。同時に住棟用受信機は、警報報知を必要とする各住戸内に設置している住宅情報盤に対しても発報移報信号を送り、住戸内でも音声警報と警報表示を行わせている。
【０００５】
【発明が解決しようとする課題】
しかしながら、このような従来の共同住宅用火災報知システムにあっては、住棟用受信機からの制御によって、出火階及び直上階の住戸の玄関先に設置しているドアホン子器から「ウーウー、火災が発生しました。」等の音声メッセージ警報が出されるが、この音声メッセージ警報では火災がどこで起きているのか等の火災の状況は全く不明であり、音声メッセージ警報を聞いた人は、逆に動揺してしまいパニックになる恐れがある。
【０００６】
また従来のシステムは、中央の住棟用受信機からの音声メッセージ警報を出火階及び直上階のドアホン子器のスピーカから出しているが、住戸内に設置されている住宅情報盤は、住棟用受信機から発報移報信号を受けた際に、自分自身で警報音の鳴動と警報表示を行っており、住棟用受信機からの音声メッセージ警報を聞くことができない。
【０００７】
このため住棟用受信機からの「ウーウー、火災が発生しました。」という音声メッセージ警報に加え、避難誘導を促す音声メッセージを同時に送っていた場合、住戸内の居住者に避難誘導の音声メッセージが届かず、居住者は、避難してよいのかどうか状況が分らず、混乱を招く恐れがある。
本発明は、このような従来の問題点に鑑みてなされたもので、中央の住棟用受信機からの音声警報が住戸側に適切且つ十分に行き届くようにした共同住宅用火災報知システムを提供することを目的とする。
【０００８】
【課題を解決するための手段】
この目的を達成するため本発明は次のように構成する。まず本発明は、各住戸に、少なくとも火災感知器、中継器、住戸用受信機、ドアホン子器及びインターホン親器を設けると共に管理人室等の中央に住棟用受信機を設け、火災感知器の発報を前記中継器で受信した際に、発報移報信号を住戸用受信機及び住棟用受信機の各々に送出して警報報知させるインターホン設備を組み合わせた共同住宅用火災報知システムを対象とする。
【０００９】
このような共同住宅用火災報知システムについて、本発明にあっては、住棟用受信機から引き出した音声警報用信号回線をドアホン子器経由で住戸用受信機に接続し、住戸用受信機及びドアホン子器の各々に、住棟用受信機からの制御信号を受けた際に、自己のスピーカを住棟用受信機からの音声警報用信号回線に切替接続するスピーカ切替回路を備えたことを特徴とする。このため、住棟用受信機から警報報知を必要とする例えば出火階及び直上階に音声警報のための制御信号を送ると、その階の各住戸に設けているドアホン子器及び住戸用受信機の各スピーカが住棟用受信機からの音声警報用信号回線に切り替えられ、住棟用受信機からの音声メッセージ警報を、住戸内及び玄関先の各々で出すことができる。
【００１０】
また本発明は、住棟用受信機に、ドアホン子器及び住戸用受信機のスピーカに対し、音声警報用信号回線を介して火災発生場所を含む音声メッセージ警報、例えば「ウーウー、火事です。火事です。１階で火災が発生しました。安全を確認して避難して下さい。」等の音声信号を送出する音声合成部を設けたことを特徴とする。このため、警報報知を必要とする例えば出火階と直上階の居住者は、音声メッセージ警報によって直ちに火災発生場所を知ることができ、更に避難指示に従って迅速で適切な行動を取ることが可能となる。
【００１１】
ドアホン子器に設けられるスピーカ切替回路は、定常監視状態でスピーカをインターホン親器からの信号回線に接続しており、住棟用受信機からの制御信号を受けた際にインターホン親器から切り離して住棟用受信機からの音声警報用信号回線に切替接続する。
また住戸用受信機に設けられるスピーカ切替回路は、定常監視状態でスピーカをドアホン子器を経由した住棟用受信機からの音声警報用信号回線に接続しており、中継器から発報移報信号を受けた際に、住棟用受信機からの音声警報用信号回線から切り離して自己の音声合成部の出力側に切替接続すると共に、ドアホン子器のスピーカに対する信号回線をインターホン親器側から切り離して自己の音声合成部の出力側に切替接続する。
【００１２】
更に出火住戸については、火災感知器の発報で住戸用受信機の音声合成出力により自己のスピーカ及びドアホン子器のスピーカから音声メッセージ警報を出し、その後、住棟用受信機から制御信号を受けた際に、住棟用受信機からの音声メッセージ警報に切り替えできるようにする。
即ち、住戸用受信機のスピーカ切替回路は、中継器から発報移報信号を受けて自己の音声合成部の出力側にスピーカを切替接続した後に、住棟用受信機から制御信号を受けた場合には、自己の音声合成部との接続を切り離してドアホン子器を経由した住棟用受信機からの音声警報用信号回線に切替接続し、出火住戸の住戸用受信機からも住棟用受信機の音声警報メッセージを出させるようにする。
【００１３】
このため、出火住戸にあっても、住棟用受信機からの音声メッセージ警報を聞くことができ、出火時の中央側での対応を確認できる。また火災感知器が誤って発報したような場合、誤報を知らせる中央側からの音声メッセージを聞くことができるので、事態が収まったことを認識できる。
この場合、出火住戸で音声警報を行い、一定時間後に住棟用受信機からの音声警報に切り替えるため、住戸側の中継器又は受信機、或いは中央の住棟用受信機に、火災感知器の発報が一定時間継続した時に火災と判断して出力する蓄積処理部を設ける。このため住戸用受信機の音声合成部は、火災感知器の発報検出で直ちに起動して音声信号を出力する。一方、住棟用受信機は蓄積処理部の出力が得られる発報から一定時間後にスピーカ切替回路に制御信号を送出すると共に自己の音声合成部を起動して音声信号を出力する。
【００１４】
勿論、この蓄積処理部は、火災感知器が誤って発報した場合の誤報防止にも役立つ。
また本発明の別の実施形態にあっては、住棟用受信機からの音声メッセージ警報を、出火住戸に設けたドアホン子器のスピーカと、例えば出火階及び直上階等の予め定めた音声警報を必要とする住戸の住戸用受信機のスピーカから送出させる。このようにドアホン子器のスピーカについては、出火住戸のみから住棟用受信機から送った警報音声メッセージを出力させることで、どこが出火住戸かが直ちに判り、初期消火や避難が適切にできる。
【００１５】
このための構成として、ドアホン子器のスピーカ切替回路は、住棟用受信機からの制御信号を受けた際にスピーカ接続側となる二次側を住棟用受信機側からの音声警報用信号回線に接続する第１切替回路と、中継器で火災感知器の発報を受信した際に出力される発報移報信号により、定常監視状態でドアホン回路側に接続されているスピーカを第１切替回路の二次側に切替接続する第２切替回路とを備える。また住戸用受信機のスピーカ切替回路は、定常監視状態で自己のスピーカをドアホン子器の第１切替回路を経由して住棟用受信機からの音声警報用信号回線に接続している。
【００１６】
また別の構成として、ドアホン子器のスピーカ切替回路は、住棟用受信機からの制御信号を受けた際に、定常監視状態でドアホン回路側に接続しているスピーカを住棟用受信機側からの音声警報用信号回線に接続する第１切替回路と、中継器で火災感知器の発報を受信した際に出力される発報移報信号により動作し、第１切替回路の住棟用受信機からの制御信号による動作可能状態を作り出す第２切替回路とを備える。
【００１７】
また住戸用受信機のスピーカ切替回路は、定常監視状態で自己のスピーカを自己の音声合成部側に接続しており、住棟用受信機からの制御信号を受けた際に動作してスピーカを住棟用受信機からの音声警報用信号回線に切替接続する。
この住戸用受信機のスピーカ切替回路としては、住棟用受信機からの制御信号により発光駆動されるフォトカプラと、住戸用受信機自身の電源供給を受けフォトカプラの発光駆動により作動してスピーカ接続を切替えるリレー回路とで構成する。リレー回路は、例えばフォトカプラの発光駆動時に作動する制御リレーと、常時作動状態に置かれ制御リレーの作動により不作動となってスピーカを住棟用受信機からの音声警報用信号回線に切替えるスピーカ切替リレーを備える。
【００１８】
このようにスピーカ切替時に住棟用受信機の制御信号は、住戸用受信機のスピーカ切替回路に設けているフォトカプラを発光駆動するだけでよく、直接リレーを作動するのに比べ住棟用受信機の消費電流を抑えてバッテリー容量を少なくできる。
またスピーカ切替リレーを常時作動状態としているため、住戸用受信機で停電があった場合には、スピーカ切替リレーは不作動となってスピーカを音声警報用信号回線に接続する。このため停電により制御リレー及びスピーカ切替リレーに電源が供給されていなくとも、火災時の音声警報用信号回線からの音声信号は、スピーカに確実に供給され、高い信頼性が得られる。
【００１９】
【発明の実施の形態】
図１は本発明の共同住宅用火災報知システムのシステム構成図である。図１において、高層マンションなどの共同住宅を対象とした本発明の火災報知システムは、例えば住戸１Ａに代表して示すように、インターホン親器２、住戸用受信機３、ドアホン子器４、中継器５、及び火災感知器６を設けている。
【００２０】
インターホン親器２とドアホン子器４はインターホン設備であり、インターホン親器２は住戸用受信機３と共に住戸内に設置され、ドアホン子器４は玄関先に設置されている。火災感知器６は中継器５からの電源兼用信号線に接続され、火災により発報すると、この発報を中継器５で検出し、発報移報信号を住戸用受信機３に送って警報報知させる。
【００２１】
住戸用受信機３には音声合成部とスピーカが設けられており、中継器５から発報移報信号を受けると、例えば「感知器が発報しました。確認してください。誤報の場合は復旧スイッチを押してください。」などの音声メッセージ警報を出力させる。この音声メッセージは同時にドアホン子器４のスピーカからも出力される。
【００２２】
このような住戸１Ａ，１Ｂ側の設備に対し、管理人室などの中央側には住棟用受信機７が設けられている。住棟用受信機７からは火報用信号回線９、制御用信号回線１０、及び音声警報用信号回線１１が引き出され、それぞれ住戸１Ａ，１Ｂ側と接続している。
例えば住戸１Ａを例にとると、火報用信号回線９に対しては中継器５が接続され、制御用信号回線１０及び音声警報用信号回線１１に対してはドアホン子器４が接続されている。更に火報用信号回線９、制御用信号回線１０及び音声警報用信号回線１１に対しては、火災発信機と音声警報装置を備えた総合盤８が接続されている。
【００２３】
住棟用受信機７は住戸側に設けている中継器５からの発報移報信号を受けると、発報移報信号を受けた火報用信号回線９によって例えば出火階を判別して、警報音の鳴動、音声メッセージ警報の出力、警報表示を行う。更に出火階を判別すると、警報報知を必要とする例えば出火階と直上階に対し音声メッセージ警報を行うため、制御用信号回線１０に対し制御信号を出力する。
【００２４】
この制御信号は住戸１Ａ，１Ｂのドアホン子器４に与えられ、ドアホン子器４に内蔵しているスピーカ切替回路を動作してスピーカを住棟用受信機７からの音声警報用信号回線１１側に切替接続する。同時に、住戸用受信機３に内蔵しているスピーカ切替回路についても、音声警報用信号回線１１側へ切替接続する。
具体的には、非発報時には住戸用受信機３のスピーカはもともと音声警報用信号回線１１側に切り替わっているので、実際には住棟用受信機７からの制御は必要ない。これによって例えば出火階及び直上階の住戸に設けているドアホン子器４及び住戸用受信機３のスピーカは音声警報用信号回線１１に接続され、住棟用受信機７からの音声信号の送出で音声メッセージ警報を出すことができる。
【００２５】
住棟用受信機７からの音声信号による音声メッセージ警報としては、例えば  「ウーウー、火事です。火事です。１階で火災が発生しました。安全を確認して避難してください。」というように必ず火災発生場所を含むメッセージ内容とする。
図２は図１のシステム構成の具体的な回路構成の実施形態である。図２において、中継器５に設けられた受信部１２から引き出された感知器信号回線には火災感知器６が接続され、更に終端抵抗Ｒが接続されている。火災感知器６としては、発報後に火災状態でなくなると復旧する自己復旧型火災感知器を使用する。もちろん、必要に応じて発報で自己保持する自己保持型火災感知器を使用してもよい。
【００２６】
制御部１４は、受信部１２で火災感知器６の発報を検出したときの発報検出信号を受けると、トランジスタＱ１のオンにより受信リレーＬ１を作動する。受信リレーＬ１はリレー接点ｌ１を有し、リレー接点ｌ１を閉じることで住戸用受信機３に対し発報移報信号を送出する。同時にドアホン子器４に設けている表示回路２５に対し発報移報信号Ｅ３を出力し、火災灯２６を点灯させる。
【００２７】
この実施形態にあっては、住戸用受信機３の制御部１５に蓄積タイマ１６を設けており、制御部１５は、中継器５からの発報移報信号を受けると蓄積タイマ１６を起動し、予め定めた一定時間例えば２〜５分の範囲の一定時間、発報移報信号の入力が継続すると、蓄積タイマ１６がタイムアップし、蓄積出力信号Ｅ１を中継器５の制御部１４に出力する。
【００２８】
具体的には、蓄積タイマ１６のタイムアップで、定常状態でオンしているトランジスタＱ４をオフしてリレーＮを復旧し、切替リレー接点ｎをａ側からｂ側に切り替えることで、制御部１４に対するポートをＬレベルに引き込んで、蓄積出力信号Ｅ１を出力する。
この蓄積出力信号Ｅ１を制御部１４で受けると、トランジスタＱ２のオンにより移報リレーＬ２を作動し、リレー接点Ｌ２を閉じることで住棟用受信機７に対し発報移報信号を送る。即ち、火災感知器６が発報してから蓄積タイマ１６による一定時間の蓄積後に、住棟用受信機７に対し発報移報信号が送出されることになる。
【００２９】
住戸用受信機３は制御部１５を有し、制御部１５には蓄積タイマ１６に加え、火災灯１７、復旧スイッチ１８、火災断定スイッチ１９が接続されている。また出力回路部として、トランジスタＱ３により作動されるスピーカ切替リレーＭ、トランジスタＱ４により作動される蓄積出力リレーＮ、更にトランジスタＱ５により作動される火災断定リレーＡを接続している。
【００３０】
更に制御部１５に対しては音声合成部２０が設けられる。制御部１５で中継器５より発報移報信号を受けた際に音声合成部２０を起動し、予め定めた音声メッセージの音声信号をアンプ２１に出力する。アンプ２１の出力はインピーダンス変換用のトランス２２を介してスピーカ２３側に接続される。スピーカ切替回路は、トランジスタＱ３、スピーカ切替リレーＭ、及びその切替リレー接点ｍ１〜ｍ４で構成される。
【００３１】
即ち、スピーカ２３は、スピーカ切替リレーＭの切替リレー接点ｍ１，ｍ２により音声合成部２０側と住棟用受信機７側とに選択的に切替接続される。定常監視状態におけるスピーカ切替リレーＭの非作動状態にあっては、図示のように切替リレー接点ｍ１，ｍ２はスピーカ２３を住棟用受信機７側に切り替えている。制御部１５で中継器５からの発報移報信号を受けると、トランジスタＱ３のオンによりスピーカ切替リレーＭを作動し、切替リレー接点ｍ１，ｍ２をｂ側に切り替え、スピーカ２３を音声合成部２０の出力側に接続する。これによってスピーカ２３から音声合成部２０による音声メッセージ警報を出すことができる。
【００３２】
更にスピーカ切替リレーＭは、インターホン親器２とドアホン子器４との間の信号回線を切り替える切替リレー接点ｍ３，ｍ４を有する。切替リレー接点ｍ３，ｍ４は、スピーカ切替リレーＭが非作動状態にある定常監視状態にあっては図示のようにａ側に切り替わっており、インターホン親器２とドアホン子器４の間を接続している。
【００３３】
これに対し、中継器５からの発報移報信号を制御部１５で受けた場合のスピーカ切替リレーＭの作動により、リレー接点ｍ３，ｍ４はｂ側に切り替えられ、ドアホン子器４は、インターホン親器２から切り離され、音声合成部２０側の信号回線に切替接続される。このため音声合成部２０の音声信号は、アンプ２１、トランス２２を介してドアホン子器４側に送られ、ドアホン子器４に設けているスピーカ３０からも音声合成部２０の音声信号による音声メッセージ警報を出すことができる。
【００３４】
ドアホン子器４にはドアホン回路２７が設けられ、ドアホン回路２７には呼出スイッチ２８、マイク２９が設けられている。スピーカ３０のスピーカ切替回路は、音声入力切替リレーＫとそのリレー接点ｋ１，ｋ２、切替リレー接点ｋ３，ｋ４で構成される。
即ち、スピーカ３０は、住棟用受信機７からの制御信号により作動される音声入力切替リレーＫの切替リレー接点ｋ３，ｋ４により、ドアホン回路２７とトランス３１の二次側となる住棟用受信機７からの音声警報用信号回線１１に選択的に接続される。定常監視状態にあっては、音声入力切替リレーＫは非作動状態にあることから、切替リレー接点ｋ３，ｋ４は図示のようにａ側に切り替わってドアホン回路２７に接続している。このため、インターホン親器２２との間で通話を行うことができる。
【００３５】
また住戸用受信機３で発報移報信号を受けて、スピーカ切替リレーＭの作動で切替リレー接点ｍ３，ｍ４をｂ側に切り替えたときには、ドアホン回路２７を経由して音声合成部２０側に接続され、このためスピーカ３０から音声合成部２０による音声信号に基づいた音声メッセージ警報を出すことができる。
ドアホン子器４に対する住棟用受信機７からの音声警報用信号回線１１には、音声入力切替リレーＫのリレー接点ｋ１，ｋ２が挿入接続されている。このリレー接点ｋ１，ｋ２の二次側はトランス３１に接続され、更に住戸用受信機３に設けているスピーカ２３側に分岐されている。
【００３６】
このため住棟用受信機７の制御用信号回線１０より制御信号を受けて音声入力切替リレーＫが作動すると、リレー接点ｋ１，ｋ２が閉じることで住戸用受信機３のスピーカ２３を住棟用受信機７からの音声警報用信号回線１１に接続することができ、同時に切替リレー接点ｋ３，ｋ４がｂ側に切り替ることで、トランス３１を介してドアホン子器４のスピーカ３０を住棟用受信機７からの音声警報用信号回線１１に接続することができる。
【００３７】
再び住戸用受信機３を参照するに、制御部１５に設けている復旧スイッチ１８を操作すると、制御部１５は、蓄積タイマ１６をリセットし、スピーカ切替リレーＭを非作動状態とし、蓄積出力リレーＮが非動作状態にあれば、再び動作状態とし、更に音声合成部２０による音声信号の出力を停止する等の復旧処理が行われる。
【００３８】
更に制御部１５に設けている火災断定スイッチ１９を押した場合には、制御部１５は、トランジスタＱ５をオンすることにより火災断定リレーＡを作動させる。火災断定リレーＡはリレー接点ａ１を有し、リレー接点ａ１を閉じることで中継器５の制御部１４の対応するポートをＬレベルに引き込むことで、火災断定信号Ｅ４を出力する。
【００３９】
火災断定信号Ｅ４が得られると、制御部１４は直ちにトランジスタＱ２をオンしてリレーＬ２を作動し、そのリレー接点ｌ２を閉じることで住棟用受信機７に対し発報移報信号を送出する。尚、蓄積タイマ１６による蓄積中に火災断定スイッチ１９を押した場合にも、制御部１５は、蓄積動作と関係なく火災断定リレーＡを作動して火災断定信号Ｅ４を中継器５に送ることになるので、直ちに住棟用受信機７に対し発報移報信号を送ることができる。
【００４０】
次に住棟用受信機７を説明する。住棟用受信機７には例えば階別ごとに受信部３２が設けられ、各受信部３２から階毎に引き出された火報用信号回線９にその階の住戸の中継器が複数接続されている。この例にあっては、例えば１階用の受信部３２を代表して示している。ここで、住戸に設けられている中継器５に対しては、住棟用受信機７から電源供給が行われている。
【００４１】
即ち、住棟用受信機７から引き出された火報用信号回線９の中の＋２４Ｖの電源線とコモン線Ｃにより中継器５に対する電源供給が行われ、したがって受信部１２を介して火災感知器６に対しても住棟用受信機７からの電源供給が行われている。もちろん、中継器５の制御部１４についても同様に、住棟用受信機７からの電源供給が行われている。
【００４２】
更に、ドアホン子器４に設けている表示回路２５についても、住棟用受信機７からの電源供給が行われる。このため、住戸が空くなどして住戸用受信機３の電源部２４に対するＡＣ１００Ｖが断たれていても、中継器５及びドアホン子器の表示回路２５は住棟用受信機７からの電源供給を受けて動作状態にあり、住戸のＡＣ１００Ｖが断たれていても確実に火災が監視できる。
【００４３】
住棟用受信機７の受信部３２は、住戸側の中継器５からの発報移報信号を受信すると制御部３３に受信出力を供給する。制御部３３は受信出力を行った受信部から出火階を判別し、音声警報メッセージを必要とする階として例えば火災発生階と直上階を判別し、出火階及び直上階に対し制御信号を送出するための処理を行う。
【００４４】
この制御信号送出のため制御部３３に対しては、例えば建物の階数がｎ階であったとすると、階ごとにトランジスタＱ11〜Ｑ1nにより作動される制御用リレーＴ１〜Ｔｎを設けている。例えば図示の住戸が１階であったとすると、制御部３３はトランジスタＱ11のオンにより制御リレーＴ１を作動する。
制御リレーＴ１〜Ｔｎのリレー接点ｔ１〜ｔn は、マトリクス回路３６に設けられている。マトリクス回路３６は、制御用信号回線１０に含まれる１〜ｎ階に対応した制御線Ｂ１〜Ｂｎごとに、制御用リレーＴ１〜Ｔｎのリレー接点ｔ１〜ｔn とダイオードＤ１〜Ｄｎの直列回路を備えている。更にマトリクス回路３６にあっては、例えば１階の火災発生に対し直上階の２階を制御するため、リレー接点ｔ１の出力側から２階の制御線Ｂ２の接続端子側にダイオードＤ12を接続している。
【００４５】
この構成は残りの制御線Ｂ２〜Ｂｎの間についても同様に行われる。このため、例えば１階の火災発生を検出してリレー接点ｔ１が閉じられると、ダイオードＤ１とＤ12を介して１階の制御線Ｂ１及び２階の制御線Ｂ２のそれぞれに対し制御電圧が送出され、ドアホン子器４に設けている音声入力切替リレーＫを作動する。
【００４６】
制御部３３は更に、中継器５からの発報移報信号を受信すると音声合成部３４を起動する。音声合成部３４には制御部３３で判別した出火階を示す内容を含む音声メッセージ警報のデータがセットされており、制御部３３の起動を受けて、この音声メッセージの音声信号をパワーアンプ３５で増幅して、音声警報用信号回線１１に送出する。
【００４７】
これによって予め警報報知を必要とする住戸を定めたマトリクス回路３６を介して制御線より制御電圧を受けて音声入力切替リレーＫが作動しているドアホン子器４及び住戸用受信機３のスピーカ３０，２３から住棟用受信機７より送出した出火階を示す内容を含む音声メッセージ警報が出されることになる。
更に、住棟用受信機７からの制御用信号回線１０及び音声警報用信号回線１１には、総合盤８が接続されている。総合盤８はリレーＶを有し、例えばマトリクス回路３６によるリレー接点ｔ１を閉じることで得られた制御電圧により作動し、リレー接点ｖ１，ｖ２を閉じ、トランス３９を介して接続しているスピーカ３８を住棟用受信機７からの音声警報用信号回線１１に接続し、音声合成部３４による音声メッセージ警報を廊下等の共用部に設けられる総合盤８においても出せるようにしている。
【００４８】
次に図２の実施形態の動作を説明する。例えば１階の住戸にある火災感知器６が発報すると、中継器５の受信部１２で発報検出が行われ、制御部１４が受信リレーＬ１を作動し、リレー接点ｌ１を閉じることで住戸用受信機３の制御部１５に発報移報信号を送る。このとき蓄積出力リレーＮはトランジスタＱ４のオンにより作動状態にあり、切替リレー接点ｎは図示のようにａ側に切り替わっている。また中継器５の制御部１４はドアホン子器４に発報移報信号Ｅ３を出力し、火災灯２６を点灯させる。
【００４９】
住戸用受信機３の制御部１５は、中継器５から発報移報信号を受けると火災灯１７を点灯し、また蓄積タイマ１６を起動し、更にスピーカ切替リレーＭを作動し、更に音声合成部２０を起動する。スピーカ切替リレーＭの作動で切替リレー接点ｍ１，ｍ２はスピーカ２３を音声合成部２０側に切り替える。また切替リレー接点ｍ３，ｍ４をｂ側に切り替え、ドアホン子器４のスピーカ３０も音声合成部２０側に切り替える。音声合成部２０からの音声信号はアンプ２１で増幅されてスピーカ２３及びドアホン子器のスピーカ３０に与えられ、例えば「感知器が発報しました。確認してください。誤報の場合は復旧スイッチを押してください。」等の音声メッセージ警報を出力する。もし誤報であれば、復旧スイッチ１８を操作することで発報前の状態に戻る復旧処理が行われる。
【００５０】
火災感知器６の発報状態が継続して蓄積タイマ１６がタイムアップすると、トランジスタＱ４のオフにより蓄積出力リレーＮの作動を停止し、切替リレー接点ｎをｂ側に切り替え、蓄積出力信号Ｅ１を中継器５の制御部１４に送る。この蓄積出力信号Ｅ１を受け、制御部１４は移報リレーＬ２を作動し、リレー接点ｌ２を閉じることで住棟用受信機７に対し蓄積タイマ１６に基づく発報移報信号を送る。
【００５１】
住棟用受信機７の制御部３３は受信部３２より受信出力を受けると、その受信信号回線から出火階が例えば１階であることを判別し、トランジスタＱ11のオンにより制御リレーＴ１を作動する。このためマトリクス回路３６のリレー接点ｔ１が閉じ、制御線Ｂ１，Ｂ２、即ち出火階と直上階に対し制御信号が出力される。
【００５２】
例えば出火階である１階の制御線Ｂ１による制御信号を例にとると、制御線Ｂ１からの制御信号を受けると、ドアホン子器４の音声入力切替リレーＫが作動し、そのリレー接点ｋ１，ｋ２が閉じる。また切替リレー接点ｋ３，ｋ４をｂ側に切り替えることで、スピーカ３０が住棟用受信機７からの音声警報用信号回線１１に接続される。また住戸用受信機３にあっては、出火住戸以外の住戸については図示のようにスピーカ２３はドアホン子器４を経由した住棟用受信機７からの音声警報用信号回線１１に接続されている。
【００５３】
住棟用受信機７の制御部３３は制御信号の出力と同時に音声合成部３４を起動し、予め定めた出火階を示す内容を含む音声メッセージ警報の音声信号をパワーアンプ３５で増幅し、音声警報用信号回線１１に送出する。このため出火階及び直上階、例えば１，２階の住戸に設けているドアホン子器４のスピーカ３０及び住戸用受信機３のスピーカ２３（但し出火住戸は除く）から例えば「ウーウー、火事です。火事です。１階で火災が発生しました。安全を確認して避難してください。」といった必ず火災発生場所を示す内容を含んだ音声警報メッセージが出力される。
【００５４】
図３は本発明の第２の実施形態であり、この実施形態にあっては出火住戸の住戸用受信機３のスピーカ２３についても一定時間後に住棟用受信機７からの音声メッセージ警報が出せるようにしたことを特徴とする。
図３において、住戸用受信機３に設けたスピーカ切替リレーＭを作動するトランジスタＱ３に対する制御部１５からの信号線は、ドアホン子器４に設けている音声入力切替リレーＫのリレー接点ｋ５を経由してトランジスタＱ３のベースに接続されている。リレー接点ｋ５は、音声入力切替リレーＫの非作動状態で図示のように閉じている常閉接点である。これ以外の構成は図２の実施形態と同じである。
【００５５】
図３について、火災発生時の住戸用受信機３における住棟用受信機７からの音声信号による音声警報メッセージの出力を説明すると、次のようになる。住戸用受信機３で中継器５からの発報移報信号を受信すると、このときドアホン子器４の音声入力切替リレーＫは非作動状態にあることから、リレー接点ｋ５は図示のように閉じており、このためトランジスタＱ３のオンによりスピーカ切替リレーＭを作動することができ、切替リレー接点ｍ１，ｍ２によりスピーカ２３を自己の音声合成部２０側に切替接続して、音声合成部２０による音声メッセージ警報をスピーカ２３から出すことができる。
【００５６】
その後、蓄積タイマ１６がタイムアップし、中継器５からの発報移報信号を受けた住棟用受信機７は、マトリクス回路３６による制御電圧の出力でドアホン子器４の音声入力切替リレーＫを作動状態とし、リレー接点ｋ５を開く。リレー接点ｋ５が開くとトランジスタＱ３が強制的にオフとなってスピーカ切替リレーＭが非作動となり、切替リレー接点ｍ１，ｍ２は図示のようにスピーカ２３をドアホン子器４を経由した住棟用受信機７からの音声警報用信号回線１１側に切替接続する。
【００５７】
これによって発報住戸の住戸用受信機３に設けているスピーカ２３からも住棟用受信機７の音声合成部３４による音声メッセージ警報を出すことができる。即ち、出火住戸の住戸用受信機３にあっては、火災感知器６の発報時に、まず自己の音声合成部２０による音声メッセージ、例えば「感知器が発報しました。確認してください。誤報の場合は復旧スイッチを押してください。」がまず出され、その後、蓄積タイマ１６がタイムアップする一定時間後に、住棟用受信機７に発報移報信号が送られて音声合成部３４による音声メッセージ「ウー、ウー、火事です。火事です。１階で火災が発生しました。安全を確認して避難してください。」という内容に自動的に切り替えられ、出火住戸の住戸用受信機３のスピーカ２３においても住棟用受信機７からの音声メッセージ警報を聞くことができる。
【００５８】
図４は本発明の他の実施形態であり、この実施形態は、ドアホン子器のスピーカについては、出火住戸に設けてあるもののみから住棟用受信機からの音声メッセージ警報を行わせることを特徴とする。
図４において、ドアホン子器４には、スピーカ切替回路として、住棟用受信機７からの制御用信号線に接続されたリレーＫ１とそのリレー接点ｋ１１，ｋ１２を備えた第１切替回路と、中継器５の制御部１４が火災感知器６の発報を受信した際に出力する発報移報信号Ｅ３により駆動されるリレーＫ２とその切替リレー接点ｋ２１，ｋ２２を備えた第２切替回路が設けられる。
【００５９】
第１切替回路のリレーＫ１及びリレー接点ｋ１１，ｋ１２は、図２の実施形態のリレーＫと同じであり、これに第２切替回路を構成するリレーＫ２およびリレー接点ｋ２１，ｋ２２が追加されている。第２切替回路のリレーＫ２は、中継器５からの発報移報信号Ｅ３を受けて作動し、スピーカ３０をドアホン回路２７側となるａ側から音声警報用信号回線１１側となるｂ側に切替える。
このリレーＫ２の作動によるリレー接点ｋ２１，ｋ２２のｂ側への切替状態で、住棟用受信機７のマトリクス回路３６より制御用信号回線１０に制御電圧が出力されると、リレーＫ１が作動し、リレー接点ｋ１１，ｋ１２を閉じて住棟用受信機７からの音声信号に基づいた警報メッセージ信号をドアホン子器４のスピーカ３０からの送出を可能とする。尚、他の構成及び動作は図２の実施形態と同じである。
【００６０】
次に図４の実施形態の動作を説明する。火災により火災感知器６が発報すると、中継器５の制御部１４が受信部１２からの発報受信出力に基づき、ドアホン子器４に対し発報移報信号Ｅ３を送出し、リレーＫ２を作動する。リレーＫ２が作動すると、その切替リレー接点ｋ２１，ｋ２２がｂ側に切替わり、スピーカ３０をトランス３１の二次側に接続し、住棟用受信機７からの音声信号の供給を可能とする。
【００６１】
一方、火災時には、住棟用受信機７のマトリクス回路３６からは、予めマトリクス設定された音声報知を必要とする周辺の住戸、例えば出火階となる制御端子Ｂ１及び直上階となる制御端子Ｂ２に対し制御電圧が送出される。このためドアホン子器４のリレーＫ１が作動し、リレー接点ｋ１１，ｋ１２を閉じる。このとき出火住戸あっては、発報移報信号Ｅ３によって既にリレーＫ２が作動して切替リレー接点ｋ２１，ｋ２２をｂ側に切替えているため、リレー接点Ｋ１１，Ｋ１２及び切替リレー接点ｋ２１，２２を介してスピーカ２８に音声信号が供給され、音声メッセージ警報が出火住戸のドアホン子器４から住戸外に出力される。またリレー接点ｋ１１，ｋ１２を経由して住戸用受信機３のスピーカ２３にも音声信号が供給され、住戸内に音声メッセージ警報が出力される。
【００６２】
これに対し住棟用受信機７から制御信号を受けた出火住戸以外の住戸にあっては、ドアホン子器４のリレーＫ２が非作動状態にあるため、切替リレー接点ｋ２１，ｋ２２はａ側にあり、制御電圧によりリレーＫ１が作動してリレー接点ｋ１１，ｋ１２が閉じても、スピーカ３０に対し音声信号は供給さず、ドアホン子器３からは音声メッセージ警報は出力されず、住戸用受信機３のスピーカ２３から住戸内に音声メッセージ警報が出力されるのみとなる。
【００６３】
このためドアホン子器４のスピーカ３０については、出火住戸に設けてあるもののみから住棟用受信機７から送った警報音声メッセージが出力されるため、どこが出火住戸かが住戸外から直ちに判り、初期消火や避難が適切にできる。
図５は本発明の他の実施形態であり、この実施形態は図４と同様に、ドアホン子器のスピーカについては、出火住戸に設けてあるもののみから、住棟用受信機からの音声メッセージ警報を行わせることを特徴とする。
【００６４】
図５において、ドアホン子器４には、スピーカ切替回路として、住棟用受信機７からの制御用信号回線１０に接続されたリレーＫ１とそのリレー接点ｋ１１，ｋ１２を備えた第１切替回路と、中継器５の制御部１４が火災感知器６の発報を受信した際に出力する発報移報信号Ｅ３により駆動されるリレーＫ２とそのリレー接点ｋ２１を備えた第２切替回路が設けられる。
【００６５】
第１切替回路のリレーＫ１及びリレー接点ｋ１１，ｋ１２は、図２の実施形態のリレーＫと同じであり、これに第２切替回路を構成するリレーＫ２およびリレー接点ｋ２１が追加されている。第２切替回路のリレーＫ２は、中継器５からの発報移報信号Ｅ３を受けて作動し、リレーＫ１に直列接続したリレー接点ｋ２１を閉じ、住棟用受信機７からの制御電圧によるリレーＫ１の動作可能状態を作り出す。
【００６６】
リレーＫ２が作動してリレー接点ｋ２１が閉じた状態で、住棟用受信機７のマトリクス回路３６より制御用信号回線１０のＢ１端子に制御電圧が出力されると、リレーＫ１が作動してリレー接点ｋ１１，ｋ１２をａ側からｂ側に切替え、スピーカ３０をトランス３１の二次側に接続し、住棟用受信機７からの音声信号による音声メッセージ警報の出力を可能とする。
【００６７】
住戸用受信機３に設けたスピーカ切替リレーＭは、図２の実施形態のように制御部１５による作動ではなく、住棟用受信機７からの制御用信号回線１０に接続され、音声警報用の制御電圧によって作動される。スピーカ切替リレーＭの切替リレー接点ｍ１，ｍ２は定常監視状態でｂ側に閉じ、住棟用受信機７に内蔵される音声合成部２０側にスピーカ２３を接続している。また住棟用受信機７からの制御電圧によりスピーカ切替リレーＭが作動すると、切替リレー接点ｍ１，ｍ２をａ側に切替え、スピーカ２３を住棟用受信機７からの音声警報用信号回線１１に接続する。尚、他の構成及び動作は図２の実施形態と同じである。
【００６８】
次に図５の実施形態の動作を説明する。火災により火災感知器６が発報すると、中継器５の制御部１４が受信部１２からの発報受信出力に基づき、ドアホン子器４に対し発報移報信号Ｅ３を送出し、これによってリレーＫ２が作動する。リレーＫ２が作動すると、そのリレー接点ｋ２１が閉じ、リレーＫ１を動作可能状態とする。
【００６９】
火災時に、住棟用受信機７のマトリクス回路３６からは、予めマストリクス設定された音声報知を必要とする周辺の住戸、例えば出火階となる制御端子Ｂ１及び直上階となる制御端子Ｂ２に対し制御電圧が送出される。このとき出火住戸あっては、発報移報信号Ｅ３によって既にリレーＫ２が作動してリレー接点ｋ２１を閉じているため、ドアホン子器４のリレーＫ１が作動し、リレー接点ｋ１１，ｋ１２をｂ側に切替える。
【００７０】
このためリレー接点ｋ１１，ｋ１２を介してスピーカ２８に音声警報用信号回線１１を介して音声信号が供給され、音声メッセージ警報が出火住戸のドアホン子器４から住戸外に出力される。また住戸用受信機３のスピーカ切替リレーＭも制御信号によって作動し、切替リレー接点ｍ１，ｍをａ側として音声警報用信号回線１１にスピーカ２３を接続し、住戸用受信機３のスピーカ２３にも音声信号が供給され、住戸内に音声メッセージ警報が出力される。
【００７１】
これに対し住棟用受信機７から制御電圧を受けた出火住戸以外の住戸にあっては、ドアホン子器４のリレーＫ２が非作動状態にあり、リレー接点ｋ２１が開いているために制御信号によりリレーＫ１が作動せず、スピーカ３０に対し音声信号は供給されない。このためドアホン子器４からは音声メッセージ警報は出力されず、住戸用受信機３のスピーカ２３から住戸内に音声メッセージ警報が出力されるのみとなる。
【００７２】
このようにドアホン子器４のスピーカ３０については、出火住戸に設けてあるもののみから住棟用受信機７から送った警報音声メッセージが出力されるため、どこが出火住戸かが住戸外から直ちに判り、初期消火や避難が適切にできる。
図６は図５の住棟用受信機３に設けたスピーカ切替回路の他の実施形態であり、住棟用受信機７からの制御信号によるスピーカ切替時の消費電流を低減するようにしたことを特徴とする。
【００７３】
本発明の共同住宅用火災報知システムにあっては、火災時、住棟用受信機７は、制御用信号回線１０を介して、例えば出火階及び直上階の全ての住戸に対し制御信号を送出する。図５の実施形態にあっては、住戸用受信機３に設けたスピーカ切替リレーＭを、制御用信号回線１０を介して供給される住棟用受信機７からの制御信号により作動させて、切替リレー接点ｍ１，ｍ２をａ側に切替え、スピーカ２３を住棟用受信機７からの音声警報用信号回線１１に接続するようにしている。
【００７４】
しかし、スピーカ切替リレーＭを住棟用受信機７からの制御信号により作動させているため、出火階および直上階の全ての住戸の住戸用受信機３のスピーカ切替リレーＭを作動させるためには、住棟用受信機７に予備電源として設けるバッテリーに大容量のものが必要となってしまう。例えばリレー１つを作動するために１０ｍＡの電流を必要とすると、２０個分のリレーを作動させるためには２００ｍＡといった大きな消費電流が必要になる。
【００７５】
そこで本発明にあっては、住戸用受信機３の電源でスピーカ切替リレーを作動させるようにして、住棟用受信機７の消費電流を抑え、バッテリー容量が少なくて済むようにしている。
具体的には、図６のように、住戸用受信機３のスピーカ切替回路として、住棟用受信機７からの制御用信号回線１０をフォトカプラ４０の発光素子４２に電流制限用の抵抗Ｒ１を介して接続し、制御信号によりフォトカプラ４０の発光素子４２を発光させる。この発光素子４２の発光駆動によりフォトトランジスタ４４がオンし、その結果、制御リレーＢを作動する。
【００７６】
この制御リレーＢの作動によりリレー接点ｂ１は開き、常時作動状態にあるスピーカ切替リレーＭは不作動となり、リレー接点ｍ１，ｍ２がｂ側からａ側に切替わり、スピーカ２３を住棟用受信機７からの音声警報用信号回線１１に接続する。
住棟用受信機７からの制御信号によりスピーカ切替を行った場合、フォトカプラ４０に流れる消費電流は２ｍＡ程度であるので、図５のように直接リレーを作動するのに比べると１／５程度の消費電流で済み、住棟用受信機７の消費電流を抑えてバッテリー容量を少なくできる。
【００７７】
またスピーカ切替リレーＭは、常時作動状態としており、住戸用受信機３で停電があった場合には、スピーカ切替リレーＭは不作動となり、リレー接点ｍ１，ｍ２がａ側に切替わってスピーカ２３を音声警報用信号回線１１に接続する。このため停電により制御リレーＢおよびスピーカ切替リレーＭに電源が供給されていなくとも、火災時の音声警報用信号回線１１からの音声信号は、スピーカ２３に確実に供給されることになる。
【００７８】
尚、上記の実施形態にあっては、住戸用受信機３に蓄積タイマを設けた場合を例にとっているが、中継器５の制御部１４に設けてもよいし、あるいは住棟用受信機７の制御部３３に設けてもよい。特に図３の実施形態で出火住戸についても住棟用受信機７からの音声警報メッセージを出させる場合には、蓄積タイマは必ず必要となる。
【００７９】
勿論、図２の実施形態のように、火災発生住戸の住戸用受信機３については住棟用受信機７からの音声警報メッセージを出さないようにしている場合には、蓄積タイマは必ずしも必要としない。
また上記の実施形態は住戸側と住棟用受信機との間を専用の信号回線で接続しているが、各住戸側、例えば中継器に固有のアドレスを設定することにより住棟用受信機７との間でアドレス及びデータを送る伝送路を使用したデータ伝送方式としてもよく、この場合には住棟用受信機７において出火住戸を特定して出火住戸を示す音声メッセージ警報を報知することができる。また伝送路を介して音声警報メッセージの出力を必要とする住戸に対し制御信号を送信し、音声入力用切替リレーＫを作動させることができる。
【００８０】
更に上記の実施形態にあっては、住棟用受信機７のマトリクス回路３６としてダイオードマトリクス回路を例にとっているが、これに限定されず、出火階と制御対象となる制御階との関係をＥＥＰＲＯＭなどのメモリにテーブルデータとして記憶させ、このテーブルデータに基づいた制御を行うようにしてもよい。
更にまた、上記の実施形態にあっては、中継器５は独立に設けてあったが、ドアホン子器４や住戸用受信機３の筐体内に収納させても良い。
【００８１】
【発明の効果】
以上説明してきたように本発明によれば、各住戸に設けている住戸用受信機及びドアホン子器に設けている各スピーカに住棟用受信機からの音声信号を送って音声メッセージ警報を住戸内及び玄関先の各々で出すことができ、住戸外及び住戸内のいずれにおいても住棟用受信機からの音声メッセージを聞くことによって火災の状況や避難誘導の指示などを知り、混乱することなく冷静且つ迅速に対応することができる。
【００８２】
また住棟用受信機からの音声信号による音声メッセージ警報として必ず火災発生場所を示すメッセージが含まれることで、警報報知を必要とする例えば出火階及び直上階の居住者は住棟用受信機からの音声メッセージ警報によって直ちに火災発生場所を知ることができ、更に避難指示に従って迅速で適切な行動をとることができ、火災報知システムの信頼性を大幅に向上できる。
【００８３】
更に、ドアホン子器のスピーカについては、出火住戸に設けたもののみから、住棟用受信機からの音声メッセージ警報を行わせることで、どこが出火住戸か住戸外からが直ちに判り、初期消火や避難が適切にできる。
【図面の簡単な説明】
【図１】本発明のシステム構成図
【図２】本発明の実施形態の回路ブロック図
【図３】本発明の他の実施形態の回路ブロック図
【図４】出火住戸のドアホン子器のみから音声警報する本発明の実施形態の回路ブロック図
【図５】出火住戸のドアホン子器のみから音声警報する本発明の他の実施形態の回路ブロック図
【図６】図５の住戸用受信機に設けるスピーカ切替回路の他の実施形態の回路ブロック図
【符号の説明】
１Ａ，１Ｂ：住戸
２：インターホン親器
３：住戸用受信機（住宅情報盤）
４：ドアホン子器
５：中継器
６：火災感知器
７：住棟用受信機
８：総合盤
９：火報用信号回線
１０：制御用信号回線
１１：音声警報用信号回線
１２：，３２：受信部
１４，１５，３３：制御部
１６：蓄積タイマ
１７，２６：火災灯
１８：復旧スイッチ
１９：火災断定スイッチ
２０，３４：音声合成部
２１：アンプ
２２，３２，３９：トランス
２３，３０，３８：スピーカ
３５：パワーアンプ
３６：マトリクス回路
４０：フォトカプラ
Ｌ１：受信リレー
Ｌ２：移報リレー
Ａ：火災断定リレー
Ｂ：制御リレー
Ｍ：スピーカ切替リレー
Ｎ：蓄積出力リレー
Ｋ：音声入力切替リレー
【図１】
0003667463.tif 000002
【図２】
0003667463.tif 000003
【図３】
0003667463.tif 000004
【図４】
0003667463.tif 000005
【図５】
0003667463.tif 000006
【図６】
0003667463.tif 000007